(57)【特許請求の範囲】
【請求項１】
天然皮革または合成皮革を主材とするスポーツ用手袋において、前記手袋本体の指袋表面の指関節部分に対応する位置に、指袋の長手方向と交差する方向に所定の長さの線状の切り込みを形成し、前記線状の切り込みを形成した指袋の裏面側に、該線状の切り込みの周縁部と縫製され、指を折り曲げた際に開口する切り込み部分を覆い、使用しない時には切り込みを常時閉じる方向に附勢する伸縮可能なナイロンまたはポリウレタンのストレッチ素材から成る織物を使用し、前記線状の切り込みは、手を握って指を折り曲げた際に、両切り込み端部において、それぞれの切り込み端部より切り込み長さの２０％以上を閉じた状態に設定し、前記線状の切り込み上の長さ方向中央部に、該線状の切り込みの太さ方向に円縁を突出する通気性のための小孔を形成したことを特徴とするスポーツ用手袋。
【請求項２】
前記指袋の線状の切り込みは、親指指袋を除く４本の指袋に形成した請求項１に記載のスポーツ用手袋。
【発明の詳細な説明】
【０００１】
【発明の属する技術分野】
この発明は、天然皮革または合成皮革を主材とするスポーツ用手袋にかかわり、更に詳しくは特に指の屈伸を行って使用するゴルフ等の手袋や、その他のスポーツにも利用できるスポーツ用手袋に関するものである。
【０００２】
【従来の技術】
一般に、天然皮革または合成皮革を主材として製作されたゴルフ用手袋等は、手に圧迫感を与えず、しかもグリップをしっかりと安定して握ることが出来ることが必要である。しかしながら、このような従来のゴルフ用手袋は、ゴルフクラブのクリップ部を握ったり、離す操作を繰返し行うため、指袋の指の関節部分に対応する部分が伸びてしまったり、また指の付け根に対応する部分が伸びてしまい短期間に使用できなくなる場合が多い。
【０００３】
【発明が解決しようとする課題】
そこで、指の屈伸部分、即ち、指の関節部分に対応した指袋の表面部分に楕円形状の穴を開設したり、穴の開設部分に伸縮性の布を配設して被覆したゴルフ用手袋が提案されている。
【０００４】
然しながら、上記のような楕円形状の穴を開設したゴルフ手袋の場合には、使用当初は良いが、繰返し使用していると開口部の周縁部が伸びてしまったり、その部分から切れたり、破れてしまうことがあり、更に開口部が大きくなると、その部分からゴミ等が侵入して汚れ易くなる上、見栄えも悪くなると言う問題があった。また、楕円形状の穴を開設したゴルフ手袋を握った際に、手の甲側から手の平側に引っ張る抵抗がなく、握った状態において、指袋のグリップ等と接触する手の平側の生地がたぶついてしまい、握った際の不快感があった。
【０００５】
更に、穴の開設部分に伸縮性の布を配設したゴルフ手袋の場合には、被覆してある布が汚れ易い上に、開口部の周縁部が伸びてしまうと言う問題がある。
この発明の目的は、繰返し使用しても切り込み部が切れたり、伸びてしまうことがなく、常に使用開始時と同様な感触で安定した状態で使用することができ、更に、スポーツ用の手袋として長期間にわたり、安定して使用することが出来るスポーツ用手袋を提供することにある。
【０００６】
【課題を解決するための手段】
この発明は、上記目的を達成するため、手袋本体の指袋表面の指関節部分に対応する位置に、指袋の長手方向と交差する方向に所定の長さの線状の切り込みを形成し、前記線状の切り込みを形成した指袋の裏面側に、該線状の切り込みの周縁部と縫製され、指を折り曲げた際に開口する切り込み部分を覆い、使用しない時には切り込みを常時閉じる方向に附勢する伸縮可能なナイロンまたはポリウレタンのストレッチ素材から成る織物を使用し、前記線状の切り込みは、手を握って指を折り曲げた際に、両切り込み端部において、それぞれの切り込み端部より切り込み長さの２０％以上を閉じた状態に設定し、前記線状の切り込み上の長さ方向中央部に、該線状の切り込みの太さ方向に円縁を突出する通気性のための小孔を形成したことを要旨とするものである。
ここで、前記指袋の線状の切り込みは、親指指袋を除く４本の指袋に形成するものである。
【０００７】
この発明は、上記のように構成され、手袋本体の指袋表面の指関節部分に対応する位置に、指袋の長手方向と交差する方向に所定の長さの線状の切り込みを形成し、前記線状の切り込みを形成した指袋の裏面側に、該線状の切り込みの周縁部と縫製され、指を折り曲げた際に開口する切り込み部分を覆い、使用しない時には切り込みを常時閉じる方向に附勢する伸縮可能なナイロンまたはポリウレタンのストレッチ素材から成る織物を使用し、前記線状の切り込みは、手を握って指を折り曲げた際に、両切り込み端部において、それぞれの切り込み端部より切り込み長さの２０％以上を閉じた状態に設定し、前記線状の切り込み上の長さ方向中央部に、該線状の切り込みの太さ方向に円縁を突出する通気性のための小孔を形成したので、指の屈伸を容易に行うことが出来ると共に、切り込み部が伸びてしまうことが少なく、長期間に渡って使用することができ、また切り込み部が開口していないので、ゴミ等の侵入や、汚れもすくなくすることが出来る。
【０００８】
【発明の実施の形態】
以下、添付図面に基づきこの発明の実施の形態を説明する。
図１は、この発明を実施したゴルフ用手袋の表面側の正面図、図２は図１のＡーＡ矢視断面図を示し、１は天然皮革または合成皮革を主材として構成された手袋本体を示し、この手袋本体１は、手のひら側１ａ，手の甲側１ｂ及び指の側面側１ｃ等の数種類の裁断した基材を縫製して構成されている。
【０００９】
前記手袋本体１の指袋２の手の甲側１ｂ（表面側）には、複数の通気穴３が形成してあり、また親指を除く４本の指袋２の指関節部分４に対応する表面側２ａの位置には、指袋２の長手方向と直交する方向に指の関節幅より若干狭い所定の長さの線状の切り込み５が形成してある。なお、この実施形態における切り込み５とは、指袋２及び表面側２ａの生地に引っ張り、圧縮の力が作用していない状態、即ち、手袋本体１の不使用状態において、生地に対する切り込み方向と直交する方向に開口していない状態を言う。
【００１０】
前記切り込み５を形成した指袋２の裏面側２ｂには、図２に示すように、指を折り曲げた際に開口する切り込み５ａ（図１の一点鎖線で示す）の部分を覆い、また手袋２を使用しない時には切り込み５を常時閉じる方向に附勢する伸縮可能なストレッチ素材６を配設し、切り込み５の周縁部と縫製してある。
【００１１】
前記伸縮可能なストレッチ素材６としては、例えば、通気性のあるナイロンまたはポリウレタンの織物を使用するものである。
【００１２】
また、指袋２の表面側２ａ及び手の甲部分１ｂの数カ所には、シルバーステッチ等の装飾９が施してあり、更に手首部分１ｄの締め付けバンド７の表面には、オリジナルマーカーの取付け部８が設けてある。
【００１３】
次に、図３（ａ），（ｂ）は、この発明の実施形態における切り込み５と従来の楕円形状の穴５ｘとを比較した指袋表面側の一部平面図を示し、図３（ａ）に示すこの発明の実施形態における切り込み５は、手袋を嵌めた状態で手を握ると、切り込み５を挟んで指袋２の長手方向に矢印の力Ｆが加わり、一方、切り込み部若しくは開口部の端部付近では、端面方向と直交する向きの抵抗力Ｆｘが加わり、握る状態と平行若しくは概ね平行な方向に抵抗力が加わることが判る。
【００１４】
これに対して、図３（ｂ）に示す従来の楕円形状の穴５ｘの場合には、手袋を嵌めた状態で手を握ると、楕円形状の穴５ｘに対して握る状態と平行若しくは概ね平行といえない方向に抵抗力が加わる。このように、穴５ｘの長手方向と直交する方向に開口長さが存在すると、握った際に切り込み部分（楕円状の穴）による甲側へ引っ張ろうとする抵抗力Ｆｘがかかる力Ｆと平行でない方向にかかり、合力が分散してしまうため、手を握った状態において、把持対象物（例えば、ゴルフクラブのグリップ）と接触する手の平側の生地がだぶついてしまい、不快感が発生する。
【００１５】
従って、手の平側の生地がだぶつくことなく、把持対象物を確実に把持するには、この発明の実施形態のように、不使用状態において切り込み５が閉じていることが必要となる。
また、手を握った際の抵抗力は、主に切り込みの端部付近に発生するため、切り込み方向と直交する方向に開口していない状態（閉じている状態）は、両切り込み端部において、端部よりそれぞれ切り込み長さの２０％、好ましくは３０％有していることが望ましい。
【００１６】
また、上記の範囲外の切り込みには、図４に示すような通気性のための小孔１０を設けても良い。
以上のように、手袋本体１の指袋表面２ａの指関節部分４に対応する位置に、指袋２の長手方向と直交する方向に所定の長さの切り込み５を形成して、指袋２の裏面側２ｂには、指を屈曲した際に開口する切り込み部５を覆うストレッチ素材６を配設することで、指の屈伸を容易に行うことが出来ると共に、切り込み部５が伸びてしまうことが少なく、長期間に渡って使用することができる。
【００１７】
また切り込み部５が開口していないので、ゴミ等の侵入や、汚れもすくなくすることが出来る。
なお、上記の実施形態では、ゴルフ用手袋について説明したが、他のスポーツ、例えば、野球やテニス等、あらゆるスポーツの手袋としても利用できる。
【００１８】
この発明は、上記のように手袋本体の指袋表面の指関節部分に対応する位置に、指袋の長手方向と交差する方向に所定の長さの線状の切り込みを形成し、前記線状の切り込みを形成した指袋の裏面側に、該線状の切り込みの周縁部と縫製され、指を折り曲げた際に開口する切り込み部分を覆い、使用しない時には切り込みを常時閉じる方向に附勢する伸縮可能なナイロンまたはポリウレタンのストレッチ素材から成る織物を使用し、前記線状の切り込みは、手を握って指を折り曲げた際に、両切り込み端部において、それぞれの切り込み端部より切り込み長さの２０％以上を閉じた状態に設定し、前記線状の切り込み上の長さ方向中央部に、該線状の切り込みの太さ方向に円縁を突出する通気性のための小孔を形成したので、以下のような優れた効果を奏するものである。
（ａ）．繰返し使用しても切り込み部が切れたり、伸びてしまうことがなく、常に使用開始時と同様な感触で安定した状態で使用することができる。
（ｂ）．スポーツ用の手袋として長期間にわたり、安定して使用することが出来る上に、切り込み部は、非使用時には開口していないので、ゴミ等の侵入や、汚れもすくなくすることが出来る。
（ｃ）．手袋を嵌めた際にたぶつきによる不快感がなく使用することが出来る。
【図面の簡単な説明】
【図１】この発明を実施したゴルフ用手袋の表面側の正面図である。
【図２】図１のＡーＡ矢視断面図である。
【図３】（ａ），（ｂ）は、この発明の実施形態における切り込みと従来の楕円形状の穴とを比較した指袋表面側の一部平面図である。
【図４】この発明の他の切り込み例を示す一部平面図である。
【符号の説明】
１  手袋本体                        １ａ  手のひら側
１ｂ  手の甲側                        １ｃ  指の側面側
１ｄ  手首部分                          ２  指袋
２ａ  表面側                          ２ｂ  裏面側
３  通気穴                            ４  指関節部分
５  切り込み                          ６  ストレッチ素材
７  締め付けバンド                    ８  取付け部
９  装飾
【図１】
0004027493.tif 000002
【図２】
0004027493.tif 000003
【図３】
0004027493.tif 000004
【図４】
0004027493.tif 000005